(57)【特許請求の範囲】
【請求項１】
１つ以上のタバコ産業製品を包装するためのものであって、使用時に開口部を形成する領域を有し、前記領域は１つ以上の弱化された線によって画定されるバリア材と、その領域に重なる２つ以上の層を有する多層ラミネート材から形成され、これら２つ以上の層の内の全ての層からではないが、１つ以上の層から形成されるタブを有するラベルとを含むパッケージ。  
【請求項２】
タブはラベルの２つ以上の層の内の全ての層ではないが１つ以上の層から形成され、ラベルの２つ以上の層の残りの層に重なるように配置されること特徴とする請求項１記載のパッケージ。  
【請求項３】
ラベルは一体に形成されることを特徴とする請求項１または２記載のパッケージ。  
【請求項４】
ラベルは繰り返し封止可能であることを特徴とする請求項１乃至３いずれか１項記載のパッケージ。  
【請求項５】
ラベルの２つ以上の層はそれぞれ１つ以上の弱化された線と重なることを特徴とする請求項１乃至４いずれか１項記載のパッケージ。  
【請求項６】
タブは前記領域と重なるラベルのある位置でラベルと接合されることを特徴とする請求項１乃至５いずれか１項記載のパッケージ。  
【請求項７】
タブは前記領域に完全に重なることを特徴とする請求項１乃至６いずれか１項記載のパッケージ。  
【請求項８】
タブはパッケージの第１面に平行に、かつパッケージの第２面の方へと延びていることを特徴とする請求項１乃至７いずれか１項記載のパッケージ。  
【請求項９】
タブはパッケージの第１および第２面によって形成された縁部を越えて延びていることを特徴とする請求項８記載のパッケージ。  
【請求項１０】
タブはラベルに入れられる少なくとも１つの切り込みによって形成されることを特徴とする請求項１乃至９いずれか１項記載のパッケージ。  
【請求項１１】
前記少なくともひとつの切り込みはタブの各側面において第１の方向へ延び、第１の方向と実質的に反対方向に終点があることを特徴とする請求項１０記載のパッケージ。  
【請求項１２】
ラベルの層はタブの下側およびラベルに対して平らになるように横にした際にタブが重なる層の面を除いて互いに接着されることを特徴とする請求項１１記載のパッケージ。
【請求項１３】
タブは部分的にあるいは完全に、ラベルに形成された切り込み部へと延びるように配置されることを特徴とする請求項１乃至１２いずれか１項記載のパッケージ。  
【請求項１４】
切り込み部内のラベル領域は、接着剤が塗布されていないことを特徴とする請求項１３記載のパッケージ。  
【請求項１５】
ラベルの少なくとも一部は、パッケージから着脱可能であることを特徴とする請求項１乃至１４いずれか１項記載のパッケージ。  
【請求項１６】
ラベルの一部は永久的にバリア材に接合されていることを特徴とする請求項１乃至１５いずれか１項記載のパッケージ。  
【請求項１７】
ラベルは、その下側の少なくとも一部に永久粘着剤を含むことを特徴とする請求項１乃至１６いずれか１項記載のパッケージ。  
【請求項１８】
本体と蓋とを含み、かつ、請求項１乃至１７いずれか１項記載のパッケージを含み、パッケージは本体と蓋によって包まれ、蓋は閉じた際にタブを捕捉し、折り曲げるように配されているタバコ産業製品用容器。  
【請求項１９】
２つ以上の層を有する多層ラミネート材からラベルを形成することと、ラベルのこれら２つ以上の層の内の全てではないが、１つ以上の層からタブを形成することと、ラベルをバリア材に接着させることとを含み、ラベルは使用時に開口部を形成し、１つ以上の弱化された線によって画定されるバリア材の領域に重なるように配置されるパッケージの製造方法。  
【請求項２０】
１つ以上のタバコ産業製品を包むためのバリア材の開口部を覆うラベルであって、前記開口部はバリア材に１つ以上の弱化された線によって画定され、ラベルは２つ以上の層を有する多層ラミネート材から形成され、これら２つ以上の層の内の全てではないが、１つ以上の層から形成されるタブを有するラベル。  
【発明の詳細な説明】
【技術分野】
【０００１】
本発明は、タバコ産業製品用パッケージ、特に、タブを有するラベルを含むパッケージに関するがこれに限定されるものではない。また、本発明はパッケージの製造方法にも関する。
【背景技術】
【０００２】
紙巻きタバコパックの取り出し口を繰り返し封止するためのラベルを供することは知られており、ラベルを使用する際、使用者が掴めるようこのラベルはプルタブを有する。ラベルは、取り出し口を覆うようにラベルを紙巻きタバコパックに繰り返し封止可能に接着するためにラベルの下面に永久粘着剤が塗布されている。
【発明の概要】
【０００３】
本発明の第１の態様からのいくつかの実施態様では、１つ以上のタバコ産業製品を包装するためのものであって、使用時に開口部を形成する領域を有するバリア材と、その領域に重なる２つ以上の層から形成され、これら２つ以上の層の内の全ての層からではないが、１つ以上の層から形成されるタブを有するラベルとを含むパッケージが提供される。
【０００４】
タブはラベルの２つ以上の層の内の全ての層ではないが１つ以上の層から形成することができ、ラベルの２つ以上の層の残りの層に重なるように配置することができる。
【０００５】
ラベルは一体に形成することができ、および／またはラベルは繰り返し封止可能である。
【０００６】
上記領域は１つ以上の弱化された線によって形成され、ラベルの２つ以上の層はそれぞれこれら１つ以上の弱化された線と重なることができる。
【０００７】
タブは上記領域と重なるラベルのある位置でラベルと接合することができる。
【０００８】
タブは上記領域に完全に重なるように配置される。
【０００９】
タブはパッケージの第１面に平行に、かつパッケージの第２面の方へと延びている。
【００１０】
タブはパッケージの第１および第２面によって形成された縁部を越えて延びている。
【００１１】
タブはラベルに入れられる少なくとも１つの切り込みによって形成することができる。
【００１２】
その少なくともひとつの切り込みはタブの各側面において第１の方向へ延び、第１の方向と実質的に反対方向に終点があってもよい。
【００１３】
ラベルの層はタブの下側およびラベルに対して平らになるように横にした際にタブが重なる層の面を除いて互いに接着させることができる。
【００１４】
タブは部分的にあるいは完全に、ラベルに形成された切り込み部へと延びるように配置されてもよい。
【００１５】
切り込み部内のラベル領域は、接着剤が塗布されていない。
【００１６】
ラベルの少なくとも一部は、パッケージから着脱可能である。
【００１７】
ラベルの一部は永久的にバリア材に接合されている。
【００１８】
ラベルは、その下側の少なくとも一部に永久粘着剤を含んでもよい。
【００１９】
本発明の第２の態様からのいくつかの実施態様では、タバコ産業製品用容器が提供され、これは本体と蓋とを含み、かつ、上述のパッケージを含み、パッケージは本体と蓋によって包まれ、蓋は閉じた際にタブを捕捉し、折り曲げるように配されている。
【００２０】
本発明の第３の態様からのいくつかの実施態様では、パッケージの製造方法が提供され、この方法は２つ以上の層からラベルを形成することと、ラベルのこれら２つ以上の層の内の全てではないが、１つ以上の層からタブを形成することと、ラベルをバリア材に接着させることとを含み、ラベルは使用時に開口部を形成するバリア材の領域に重なるように配置される。
【００２１】
本発明の第４の態様からのいくつかの実施態様では、１つ以上のタバコ産業製品を包むためのバリア材の開口部を覆うラベルが提供され、ラベルは２つ以上の層から形成され、これら２つ以上の層の内の全てではないが、１つ以上の層から形成されるタブを有する。
【図面の簡単な説明】
【００２２】
本発明の実施例を添付する図面を参照して、あくまでも例示を目的として以下に説明する。
【図１】複数の層から形成されるラベルを有し、ラベルの前面から上方に延びる少なくとも一つの層から形成されるタブを含む喫煙品用パッケージの斜視図である。
【図２】複数の層から形成されるラベルを有し、ラベルの前面から上方に延びる少なくとも一つの層から形成されるタブを含む喫煙品用パッケージを収容する容器の斜視図である。
【図３ａ】本明細書中に記載されたパッケージに使用するためのラベルの斜視図であり、このラベルは第１の層及び第２の層から形成されるもので、第１の層の切り込みによって形成された凹部へと平行に延びる第１の層から形成されたタブを含む。
【図３ｂ】本明細書中に記載されたパッケージに使用するためのラベルの斜視図であり、このラベルは第１の層及び第２の層から形成されるもので、ラベルの下方縁部でラベルの幅を横断して延びる第１の層の一部から形成されるタブを含む
【図３ｃ】本明細書中に記載されたパッケージに使用するためのラベルの斜視図であり、このラベルは第１の層及び第２の層から形成されるもので、ラベルの下方縁部でラベルの幅を部分的に横断して延びる第１の層の一部から形成されるタブを含む。
【図３ｄ（ｉ）】本明細書中に記載されたパッケージに使用するためのラベルの斜視図であり、このラベルは第１の層及び第２の層から形成されるもので、第１の層の切り込みによって形成される凹部へと折り返される第２の層の材料から形成されるタブを含む。
【図３ｄ（ｉｉ）】図３ｄ（ｉ）のＡ−Ａ’線に沿った図３ｄ（ｉ）のラベルの略断面図である。
【図３ｅ】本明細書中に記載されたパッケージに使用するためのラベルの斜視図であり、このラベルは第１の層及び第２の層から形成されるもので、第１の層から形成され、ラベルの下方縁部から延びたタブを含む。
【図３ｆ】本明細書中に記載されたパッケージに使用するためのラベルの斜視図であり、このラベルは第１の層及び第２の層から形成されるもので、第１の層の切り込みによって形成される凹部へと部分的に延びたタブを含む。
【図４】本明細書中で説明するパッケージの形成方法を示すフロー図である。
【発明を実施するための形態】
【００２３】
本発明はタバコ産業製品用パッケージに関する。タバコ産業製品は、タバコ産業において製造または販売されるいかなる物品も意味し、典型的には、ａ）シガレット、シガリロ、シガー、パイプ用または手巻きシガレット用のタバコ（タバコ、タバコ派生物、膨張タバコ、再生タバコ、またはタバコ代替え品をベースにしているかに拘わらない）、ｂ）スナフ、スヌース、ハードタバコ、発熱するが燃焼しない製品などのタバコ、タバコ派生物、膨張タバコ、再生タバコ、またはタバコ代替え品を導入した非喫煙製品、ｃ）吸入器、錠剤、ガムなどのその他のニコチン送出手段を含む。このリストは限定を意図するものではなく、タバコ産業において製造または販売される製品の種類を単に例示したに過ぎない。
【００２４】
本発明は例えば喫煙品用パッケージに関する。本明細書中の「喫煙品」なる用語はタバコ、タバコ派生物、膨張タバコ、再生タバコまたはタバコ代替え品をベースにしているかに関係なく紙巻きタバコ、シガーおよびシガリロなどの喫煙可能な製品および発熱するが燃焼しない製品（即ち、熱を加えることによって、喫煙材を燃焼させずに喫煙材から風味が発せられる製品）なども含む。喫煙品は、喫煙者によって吸い込まれる気体流のためのフィルターと共に供されてもよい。
【００２５】
図１はタバコ産業用製品、本実施例では喫煙品用パッケージ１の斜視図である。パッケージ１は喫煙品を収容するバリア材２を含み、喫煙品を封止梱包する。バリア材２はパッケージの領域４を画定する弱化された線３を有し、この領域は使用時に、喫煙品を取り出す開口部を形成する。
【００２６】
本実施例では、領域４はパッケージ１の頂面１ａおよび前面１ｂ上を延びている。領域４はパッケージ１の１面あるいは２面、３面あるいはそれ以上の面に亘って延びてもよい。弱化された線３は実質的に本実施例では「Ｕ字」であるが、その他の例では完全な輪の形であってもよい。
【００２７】
本実施例では、開口部はラベル５によって繰り返し封止可能に閉じられている。ラベル５は、領域４に重なる２つ以上の層から形成されている。特に本実施例ではラベル５は２つの層から形成され、第１の層５ａはバリア材２から離れるように向いたラベル５の側を形成し、第２の層５ｂはバリア材の方に向いたラベル５の側を形成する。ラベル５はラベル５の層の内の１つ、本実施例では第１の層５ａから形成されたタブ７を含む。ラベル５が３つ以上の層から作製される実施例ではタブ７はタバコ５の３つ以上の層の内の全てではないが１つ以上の層から形成することができる。本実施例のタブ７は、平らに折り曲げてラベル５に接して横たわるようにした際にラベル５の残りの層に重なるように配置される。ラベル５はバリア層に接着するその下面に永久粘着剤を含む。
【００２８】
タブ７は弱化された線３によって画定された領域に重なる。タブ７は領域４に重なるラベル５上のある位置でラベル５から延びているが、別の例ではタブ７は領域４に重ならないラベル５上のある位置でラベルから延びてもよい。
【００２９】
タブ７はタブ７が前方に引っ張られた際に第２層５ｂの領域１２がタブ７の下で露出するように第１層５ａのみに設けられた切り込みから形成されている。ラベル５の第１層５ａおよび第２層５ｂは、層の間に塗布された接着剤により接着されるが、タブ７の真下の領域は、タブ７が第２層２５ｂから引っ張り出すことができるように、接着剤は塗布されない。
【００３０】
タブ７はユーザーが便利に掴むことができるように配されている。例えば、タブ７は、ユーザーがラベル５を開けるためにタブ７を掴み、喫煙品を取り出すために開口部を露出することができるように配されている。ユーザーによって掴まれるタブ７の外縁部は、本実施例では湾曲していて実質的に半円形を形成するが、実質的に三角形、正方形、楕円形あるいは長方形等の他の形も使用することができる。
【００３１】
タブ７のそれぞれの側にある切り込みは、最初は第１の方向、本実施例では実質的に下方となる容器２０の基部の方向へと延び、実質的に反対の方向、本実施例では上方となるパッケージ１の頂面１ａの方向で、終点となる。切り込みをこのような幾何形状を有するように配置すると、タブ７を掴んで引っ張る時に、タブ７の縁部にあるラベル５がより破れにくくなる。タブ７を掴んで引っ張ると、タブ７に隣接する繰り返し封止可能なラベル５の部分に下方への力が作用する。タブ７のそれぞれの側の切り込みを、最初は第１の方向へと延び、実質的に反対方向で終点となるように配置すると、繰り返し封止可能なラベル５の前述の部分に作用する圧力は、ラベル５の大きい方の部分で分散し、従って、ラベル５がより破れにくくなる。
【００３２】
パッケージ１は、ヒンジ式蓋付き紙巻きタバコ容器のような例えば固い厚紙製の外部容器（図１では示さず）内に供されるように配置される。
【００３３】
ラベル５は、フラップの形をしていて、このフラップは、バリア材２に永久的に接着されたパッケージ１の後面１ｃ上へと延びる部分（図示せず）を有する。ラベル５は永久粘着剤を有し、この粘着剤はラベル５のその下面の残りの部分を覆い、領域４内でラベル５をバリア材２に永久的に接着し、領域４の外方へと延びたラベル５の部分においては、ラベル５はバリア材２に着脱できるように貼り付けられ、領域４の周囲を封止する。本発明の別の実施例では、ラベル５は永久粘着剤ではなく、バリア材２の領域４へラベル５を接合する永久接着剤を有してもよい。さらに、ラベル５の全てまたは一部は、バリア材２から一緒に取り去ることができてもよく、例えば、一部を取り去ることができるようにラベル５を横断してミシン目線を設ける、あるいは、ラベル５を全て取り去ることができるようにバリア材２にラベル５を接着するための永久粘着剤のみを使用したりしてもよい。
【００３４】
タブ７はパッケージ１の前面１ｂと重なるラベル５の部分から延び、パッケージ１の頂面１ａと重なるラベル５の部分の方向へ突出する。代わりに、タブ７はパッケージのある第１の面と重なるラベル５の部分から延びてもよく、いかなる方向にも、すなわち、パッケージ１のある第２の面の方向へと突出してもよい。例えば、タブ７はパッケージ１の頂面１ａと重なるラベル５の部分から延びてもよく、パッケージ１の前面１ｂと重なるラベル５の部分へと延びてもよい。タブ７は、ラベル５／パッケージ１のいかなる部分から延びてもよいし、ラベル５／パッケージ１のいかなる他の部分へと突出してもよい。
【００３５】
本実施例では、タブ７は、パッケージ１の隣接する頂面１ａおよび前面１ｂの境界線から形成される縁部１１を越えて延びる。タブ７の後部の一部が、タブ７を掴むために前方へと引っ張ることができるように露出されるので、これによりタブ７は、縁部１１を超えて延びていない場合よりも、より容易に掴むことができる。これとは別にタブ７は、隣接する前面と頂面から形成される縁部１１と当接したり、縁部１１に到達する前に終わってもよい。タブ７は、ラベル５が配置されたパッケージ１のあらゆる２つの隣接する第１および第２の面から形成される縁部を越えて延びる、縁部に接する、あるいは縁部に接する前に終わってもよい。
【００３６】
タブ７および／またはラベル５の外面はロゴや文字が印刷されてもよい。
【００３７】
バリア材２および／またはラベル５は、金属化プラスチックあるいは、プラスチック／金属ホイルラミネートのような材料から作成されてもよい。バリア材２およびラベル５は、同一の材料あるいは異なる材料から作成してもよい。バリア材２および／またはラベル５は、透明あるいは不透明の材料を含んでもよい。
【００３８】
図２は、図１を参照して説明した喫煙品用パッケージ１を内包する容器２０の斜視図である。パッケージ１は、本体２０ａと本体２０ａにヒンジ式に接続された蓋２０ｂを有する容器２０内に位置する。容器２０は、ブランクから形成され、板紙あるいは、類似の折り畳み可能な材料から作製してもよい。容器２０は、セロファンのような取り外し可能な層によって、上包してもよい。
【００３９】
タブ７は、領域７´でラベル５に接続し、この領域から、パッケージ１の頂部の方へと上方に延びる。タブ７がラベル５に接続する領域７´は弱化された線によって画定されたバリア材２の領域４に重なる。
【００４０】
容器２０をユーザーが最初に開く前は、蓋２０ｂは、容器本体２０ａ上で閉じており、タブ７はラベル５上に折り曲げられていてもよく、蓋２０ｂの前壁２０ｂ（ｉ）によってその位置に保持されている。この最初の状態で、タブ７の下面は外方へ面していて、タブ７は容器本体２０ａの方向へと延びる。
【００４１】
最初に喫煙品を取り出す際、ユーザーはタブ７を表に出すために、蓋２０ｂをまず開ける。畳まれていたタブ７が元に戻され、パッケージ１の前面２１ｂから角度を付けて突出する。タブ７は、パッケージ１の前面１ｂから５°から１２０°の間の角度で突出する。例えば、タブ７は前壁から約３０°の角度で突出してもよい。
【００４２】
容器を閉じ、パッケージ１を再封止するために、ユーザーは単に蓋２０ｂを閉めればよい。本実施例では、閉める際に、蓋２０ｂはタブ７を捕捉し、タブ７自体を元の折りたたまれた位置に戻るように配されている。蓋２０ｂを閉めると、ラベル５はバリア材２の方向へと押され、ラベル５の下面上の永久粘着剤によって、ラベル５はバリア材に再度接着される。蓋２０ｂの前壁２０ｂ（ｉ）の下方縁部２０ｂ（ii）はタブ７の下面と係合し、最初の状態になるようにタブ７を再度折り曲げる。
【００４３】
蓋２０ｂが閉じる際にタブ７を捕捉し、タブ７が折れ曲がるように蓋２０ｂが配されることは、容器２０を次回以降開けたときに、タブ７が元の折り曲げられる前の状態に戻り、パッケージ１の前面１ｂから角度を付けて突出するので有利である。従って、容器が再度開けられる毎に、タブ７の位置がユーザーにとってわかりやすく示されるので、ラベル５を開けるためにタブ７をユーザーが簡単に掴むことができる。
【００４４】
容器は、２つの別個の包装体を収容してもよく、それぞれが１包装体分の喫煙品を収容し、それぞれが独立したタブ付きラベルを有してもよい。
【００４５】
図３（ａ）は、本明細書で説明したパッケージと共に使用するための本明細書で説明したラベルの代わりに使用するラベル３０の斜視図である。ラベル３０は、本明細書で説明したように、パッケージに接着される時に、ラベル３０の外側に配置される第１層３０ａと、本明細書で説明したように、パッケージに接着される時に、パッケージに面するラベル３０の内側に配置される第２層３０ｂから形成される。タブ３１は、第１層３０ａの一部から形成され、平らにすると、第１層３０ａの切り込み３２によって形成された凹部の一部に延びる。図３（ａ）のラベル３０の第１層３０ａと第２層３０ｂは、それらの隣接した表面に亘って塗付された接着剤によって一緒に接着されるが、切り込み３２によって囲まれた部分とタブ３１の真下の部分には接着剤は塗布されていない。刻み線のような部分的に切りこみが入った弱化した線３３が、タブ３１がラベル３０の残りの部分と接するタブ３１の縁部に設けられ、このことによってタブ３１を掴む時に、タブ３１が簡単に持ち上がりラベル３０から離れるようになる。上述のように、ラベル３０がパッケージの開口部全体を繰り返し封止する際に使用するための、繰り返し封止可能な永久粘着剤がラベル３０の下面に塗布され供されてもよい。
【００４６】
ラベル３０に形成された凹部へと完全にではなく一部に延びるようなタブ３１を形成することは、ユーザーがタブ３１をより掴みやすくする点で有利であり、ユーザーは凹部の後面に沿ってタブ３１の後ろへと指を滑らせ、タブ３１を持ち上げることができる。
【００４７】
ラベル３０は、上述のパッケージのようにバリア材を含むパッケージを繰り返し封止可能に閉じるために使うことができ、バリア材は弱化した線によって画定された領域を有し、この領域は開口部を形成し、これを介して喫煙品を取り出すことができる。ラベル３０はタブ３１が少なくとも部分的にはこのようなパッケージの領域を覆うように配される。タブ３１は、使用の際に領域４に重なるであろうラベル３０の位置で、ラベル３０に接合される。
【００４８】
本実施例では、タブ３１はラベル３０の切り込みから形成される。タブ３１のそれぞれの側の切り込みは、第１の方向、本実施例では、ラベルの下方縁部の方向へ実質的に下がるように最初は延び、実質的に反対の方向、本実施例では、ラベル３０の上方縁部の方向へと上がる方向で終点となる。図１で示したとおり、この位置関係に切りこみを配することは、図３（ａ）で示したとおり、タブ３１を掴み引っ張る時に、タブ３１の縁部においてラベル３０が破れにくくなる。
【００４９】
図３（ｂ）は、本明細書で説明したパッケージに使用される本明細書で説明したラベルの代わりに使用するラベル４０の斜視図である。ラベル４０は、第１層４０ａと第２層４０ｂから形成され、この第１層４０ａは、本明細書で説明したパッケージへと接着される時に、ラベル４０の外側に位置し、第２層４０ｂは、本明細書で説明したパッケージへと接着される時に、パッケージに面する、ラベル４０の内側に位置する。タブ４１は、ラベル４０の縁部に位置する第１層４０ａの一部から形成され、ラベル４０の幅に亘って延びる。
【００５０】
図３（ｂ）のラベル４０の第１層４０ａと第２層４０ｂは、それらの隣接する表面に亘って塗付された接着剤によって一緒に接着されるが、タブ４１の真下の領域はタブ４１を持ち上げることができるように接着剤が塗布されていない。刻み線のような部分的に切りこみが入った弱化した線が、タブ４１がラベル４０の残りの部分と接するタブ４１の縁部に設けられ、これによりタブ４１を掴んだときに、タブ４１が簡単に持ち上がりラベル４０から離れるようになる。上述のように、ラベル４０がパッケージの開口部全体を繰り返し封止する際に使用するための、繰り返し封止可能な永久粘着剤をラベル４０の下面に設けてもよい。
【００５１】
ラベル４０は、上述の実施例で説明したパッケージのように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル４０は、このようなパッケージの領域をタブ４１が少なくとも部分的に覆うように配される。タブ４１は、使用時にラベル４０が領域４に重なるであろう位置で、ラベル４０に接合される。
【００５２】
図３（ｃ）は本明細書で説明したパッケージに使用される本明細書で説明したラベルの代わりに使用されるラベル５０の斜視図である。ラベル５０は、第１層５０ａと第２層５０ｂから形成され、この第１層５０ａは、本明細書で説明したパッケージへと接着される時に、ラベル５０の外側に位置し、第２層５０ｂは、本明細書で説明したパッケージへと接着される時に、パッケージに面する、ラベル５０の内側に位置する。タブ５１は、ラベル５０の縁部に位置する第１層５０ａの一部から形成され、ラベル５０の幅を部分的に亘って延びる。本実施例では、タブ５１は実質的に台形の形状であるが、他の形状であってもよい。タブ５１は第１切り込み５２ａと第２切り込み５２ｂによって形成され、これらの切り込みは第１層５０ａを通り、第２層５０ｂまでは延びていない。
【００５３】
図３（ｃ）のラベル５０の第１層５０ａと第２層５０ｂは、それらの隣接する表面に亘って塗付された接着剤によって一緒に接着されるが、タブ５１の真下の領域はタブ５１を持ち上げることができるように接着剤が塗布されていない。刻み線のような部分的に切りこみが入った弱化した線５３が、タブ５１がラベル５０の残りの部分と接するタブ５１の縁部に設けられ、このことによってタブ５１を掴む時に、タブ５１が簡単に持ち上がりラベル５０から離れるようになる。上述のように、ラベル５０がパッケージの開口部全体を繰り返し封止する際に使用するための、繰り返し封止可能な永久粘着剤をラベル５０の下面に設けてもよい。
【００５４】
ラベル５０は、上述の実施例で説明したパッケージのように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル５０は、このようなパッケージの領域をタブ５１が少なくとも部分的に覆うように配される。タブ５１は、使用時にラベル５０が領域４に重なるであろう位置で、ラベル５０に接合する。
【００５５】
図３（ｄ）（ｉ）は本明細書で説明したパッケージに使用される本明細書で説明したラベルの代わりに使用されるラベル６０の斜視図である。ラベル６０は、第１層６０ａと第２層６０ｂから形成され、この第１層６０ａは、本明細書で説明したパッケージへと接着される時に、ラベル６０の外側に位置し、第２層６０ｂは、本明細書で説明したパッケージへと接着される時に、タブ６１を形成する部分を除き、パッケージに面するラベル６０の内側に位置する。タブ６１はラベル６０の幅を部分的に亘って延びる第２層６０ｂの部分から形成され、この部分は折り重ねられ、第１層６０ａに形成された切り込み６２によって形成された凹部へと入る。本実施例では、タブ６１は実質的に台形の形状であるが、他の形状であってもよい。
【００５６】
図３（ｄ）（ii）は、図３（ｄ）（ｉ）のＡ−Ａ’線に沿った図３（ｄ）（ｉ）のタブ６０の略断面図である。図示のとおり、ラベル６０の第２層６０ｂから延びた材料の部分は、折り曲げ線６４に沿って折り曲げられ接着剤６５で領域６６に接着される。刻み線のような弱化された線６３は部分的に切られるなどして、タブ６１が領域６６に接するタブ６１の縁部に供され、このことによって、タブ６１が持ち上がりラベル６０から離れ、掴みやすくなる。
【００５７】
図３（ｄ）（ｉ）のラベル６０の第１層６０ａと第２層６０ｂは、それらの隣接する表面に亘って塗付された接着剤によって一緒に接着されるが、切り込み６２によって囲まれ、タブ６１の真下にある領域はタブ６１を持ち上げることができるように接着剤が塗布されていない。上述のようにラベル６０がパッケージの開口部を繰り返し封止する際に使用するための、繰り返し封止可能な永久粘着剤がラベル６０の下面に供されてもよい。
【００５８】
ラベル６０は、上述のパッケージの例のように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル６０は、このようなパッケージの領域をタブ６１が少なくとも部分的に覆うように配される。タブ６１は、使用時にラベル６０が領域４に重なるであろう位置で、ラベル６０に接合する。
【００５９】
図３（ｅ）は本明細書で説明したパッケージに使用される本明細書で説明したラベルの代わりに使用されるラベル７０の斜視図である。ラベル７０は、第１層７０ａと第２層７０ｂから形成され、この第１層７０ａは、本明細書で説明したパッケージへと接着される時に、ラベル７０の外側に位置し、第２層７０ｂは、本明細書で説明したパッケージへと接着される時に、パッケージに面する、ラベル７０の内側に位置する。タブ７１は、第１層７０ａのみから形成され、図３（ｅ）に示すようにラベル７０の下方縁部から延びる。図３（ｅ）のラベル７０の第１層７０ａと第２層７０ｂは、それらの隣接する表面に亘って塗付された接着剤によって一緒に接着される。刻み線のような弱化された線７３は部分的に切られるなどして、タブ７１がラベル７０の残りの部分と接するタブ７１の縁部に供され、このことによって、タブ７１が持ち上がりラベル７０から離れ、掴みやすくなる。上述のように、ラベル７０がパッケージの開口部を繰り返し封止する際に使用するための、繰り返し封止可能な永久的粘着剤がラベル７０の下面に塗布され供されてもよい。
【００６０】
ラベル７０は、上述のパッケージの例のように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル７０は、このようなパッケージの領域をタブ７１が少なくとも部分的に覆うように配される。
【００６１】
図３（ｆ）は本明細書で説明したパッケージに使用される本明細書で説明したラベルの代わりに使用されるラベル８０の斜視図である。ラベル８０は、第１層８０ａと第２層８０ｂから形成され、この第１層８０ａは、本明細書で説明したパッケージへと接着される時に、ラベル８０の外側に位置し、第２層８０ｂは、本明細書で説明したパッケージへと接着される時に、パッケージに面する、ラベル８０の内側に位置する。タブ８１は、第１層８０ａの一部から形成され、平らにすると、第１層８０ａの切り込み８２によって形成された凹部の一部に延びる。図３（ｆ）のラベル８０の第１層８０ａと第２層８０ｂは、それらの隣接する表面に亘って塗付された接着剤によって一緒に接着されるが、切り込み８２によって囲まれ、タブ８１の真下にある領域は接着剤が塗布されていない。上述のように、ラベル８０がパッケージの開口部を繰り返し封止する際に使用するための、繰り返し封止可能な永久的粘着剤がラベル８０の下面に塗布され供されてもよい。
【００６２】
刻み線のような弱化された線８３は部分的に切られるなどして、タブ８１がラベル７０の残りの部分と接するタブ８１の縁部に供され、このことによって、タブ８１が持ち上がりラベル８０から離れ、掴みやすくなる。
【００６３】
本実施例では、タブ８１はラベル８０の切り込みから形成される。タブ８１のそれぞれの側の切り込みは、ラベル８０の方向へ実質的に下がるように延び、ラベル８０の下方縁部の位置上で終点となる。図３（ｆ）で示したとおり、この位置関係に切りこみを配することによって、タブ８１を掴み引っ張る時に、タブ８１の縁部においてラベル８０が破れにくくなる。
【００６４】
ラベル８０は、上述のパッケージの例のように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル８０は、このようなパッケージの領域に少なくとも部分的に重なるように配される。タブ８１は、使用時にラベル８０が領域４と重なるであろう位置で、ラベル８０に接合する。
【００６５】
図４は、本発明の実施例に従って、パッケージの製造方法を示すフロー図である。第１工程Ｓ１では、２つ以上の層を有するラベルが形成される。第２工程Ｓ２では、タブがラベルの２つ以上の層の内の全てではないが１つ以上の層から形成される。多層ラミネート材を使用して本明細書で説明したように、１つ以上の層に切り込みを入れてラベルを形成する。第３工程Ｓ３では、ラベルはバリア材に貼り付けられ、このラベルは、タブがバリア材のある領域に少なくとも部分的に重なるように配され、この領域は使用時に、ラベルによって覆われる開口部を形成する。
【００６６】
上述の例では繰り返し封止可能なラベルが開示されているが、別の実施例では繰り返し封止できないラベルを有してもよい。このような例では、少なくともラベルの下面の一部は、バリア材にラベルを接着するための乾式接着剤が塗布されて供されてもよい。最初に、バリア材からラベルが剥がされた後は、乾式接着剤は、その粘着性を失い、ラベルをバリア材に再度接着することはできない。
【００６７】
種々の問題に対処し本技術を発展させるため、本開示全体は種々の実施形態を例示的に示し、その中で特許請求の範囲の発明を実践し、優れたタバコ産業製品用パッケージを提供する。本明細書で説明した利点と特徴は、実施形態の単なる代表的な具体例であって包括的および／または排他的でもない。これら具体例は、特許請求の範囲の特徴の理解を助け、教示するためだけに提示されている。当然だが、本明細書で説明した利点、実施形態、具体例、機能、特徴、構造、および／または他の側面は、本開示を特許請求の範囲で規定されたとおりに制限するものでも、あるいは特許請求の範囲の均等物を制限するものでもなく、本明細書で説明した範囲および／または思想から乖離することなく他の実施形態を利用し、改良を施してもよいと考えるべきである。種々の実施形態は、開示された要素、成分、特徴、部品、工程、手段などの種々の組合せを適切に備えてもよく、あるいはそれらのみで構成されてもよく、あるいは実質的にそれらのみで構成されてもよい。また、本開示には現在特許請求されていないが将来特許請求される可能性がある他の発明も含まれる。
【図１】
0006298546.tif 000002
【図２】
0006298546.tif 000003
【図３（ａ）】
0006298546.tif 000004
【図３（ｂ）】
0006298546.tif 000005
【図３（ｃ）】
0006298546.tif 000006
【図３（ｄ）（ｉ）】
0006298546.tif 000007
【図３（ｄ）（ｉｉ）】
0006298546.tif 000008
【図３（ｅ）】
0006298546.tif 000009
【図３（ｆ）】
0006298546.tif 000010
【図４】
0006298546.tif 000011